(57)【要約】【課題】  デモモードを有する電子機器の取り扱いを簡単にする。【解決手段】デジタルカメラ２は、撮影モードや再生モードなどの動作を行う通常モードと、デモンストレーションを行うデモモードを有する。設定メモリ４２は、デジタルカメラ２のシリアル番号が記憶されている。ＰＣには、予めデモモードの対象となる各デジタルカメラ２のシリアル番号が登録されている。ＰＣは、無線通信によって接続されているデジタルカメラ２のシリアル番号を調べ、デモモードの対象となっているデジタルカメラ２には、それを送信先に指定しれデモモード移行信号を送信する。【選択図】図２
2009216895.tif 000002
【特許請求の範囲】
【請求項１】
通常動作を行う通常モードとデモンストレーションを行うデモモードとを有する電子機器において、
外部機器との間で通信を行う機器側通信手段と、
前記通信手段が当該機器を送信先として受信するデモンストレーションへの移行を指示するデモモード移行信号を有効なデモモード移行信号とし、この有効なデモモード移行信号を通常モード下で受信することに応答して、通常モードからデモモードに移行させるモード移行制御手段とを備えることを特徴とする電子機器。
【請求項２】
電源として機器本体に装着されるバッテリの装着の有無を検出するバッテリ検出手段を備え、前記モード移行制御手段は、前記バッテリ検出手段によってバッテリの装着が検出されていない場合にだけ、有効なデモモード移行信号の受信に応答してデモモードに移行させることを特徴とする請求項１記載の電子機器。
【請求項３】
前記機器側通信手段は、機器本体の電源のオフ下でデモモード移行信号を受信するように作動状態とされ、前記モード移行制御手段は、電源のオフ下で前記機器側通信手段が有効なデモモード移行信号を受信したときには、その受信後に機器本体の電源がオンとなったときにデモモードに移行させることを特徴とする請求項１または２記載の電子機器。
【請求項４】
前記機器側通信手段が電源のオフ下で有効なデモモード移行信号を受信することに応答して、機器本体の電源をオンとする電源制御手段を備えることを特徴とする請求項３記載の電子機器。
【請求項５】
機器本体の操作でデモモードから通常モードに移行された後、この通常モード下で電源がオフとなった時点から、所定の復帰待機時間の経過後に電源をオンとする電源制御手段を備えることを特徴とする請求項１または２記載の電子機器。
【請求項６】
前記モード移行制御手段は、前記電源制御手段によって、所定の復帰待機時間の経過後に電源をオンとされたときに、デモモードに移行させることを特徴とする請求項５記載の電子機器。
【請求項７】
前記モード移行制御手段は、有効なデモモード移行信号またはデモモードの継続を要求する継続要求信号を前記機器側通信手段で受信してから所定のタイムアウト時間内に有効なデモモード移行信号または継続要求信号を前記機器側通信手段が受信しないときには、デモモードから通常モードに移行させ、または電源をオフとすることを特徴とする請求項１ないし６のいずれか１項に記載の電子機器。
【請求項８】
前記モード移行制御手段は、デモモードに移行する際に、機器設定の初期化を行うことを特徴とする請求項１ないし７のいずれか１項に記載の電子機器。
【請求項９】
前記モード移行制御手段は、デモモードに移行する際に、通常モード下で取得される取得データを記憶する記憶手段に記憶されている取得データを消去することを特徴とする請求項１ないし８のいずれか１項に記載の電子機器。
【請求項１０】
前記機器側通信手段は、外部機器からの制御コマンドを受信するようにされ、この受信した制御コマンドに応じた動作を行わせる動作制御手段を備えていることを特徴とする請求項１ないし９のいずれか１項に記載の電子機器。
【請求項１１】
前記機器側通信手段は、外部機器からのデモ用データを受信するようにされ、この受信したデモ用データを用いてデモモードでの動作が行われることを特徴とする請求項１ないし１０のいずれか１項に記載の電子機器。
【請求項１２】
予め設定された識別情報を記憶した識別情報記憶手段を備え、前記通信手段は、前記識別情報記憶手段に予め記憶されている識別情報を送出することを特徴とする請求項１ないし１１のいずれか１項に記載の電子機器。
【請求項１３】
通常動作を行う通常モードからデモンストレーションに移行させるためのデモモード移行信号を送信すべき電子機器に予め設定された固有の識別情報を保持する識別情報保持手段と、
前記電子機器との間で無線による通信を行う指示側通信手段と、
前記識別情報保持手段に登録されている電子機器を送信先に指定して、通常モードからデモモードに移行させるためのデモモード移行信号を前記指示側通信手段から送信させる制御手段とを備えたことを特徴とするデモ指示装置。
【請求項１４】
前記制御手段は、前記指示側通信手段を介して通信可能状態にある電子機器から、その電子機器の識別情報を取得し、取得した識別情報が前記識別情報保持手段に保持されている識別情報のうちのいずれかと一致する電子機器に対してデモモード移行信号を前記指示側通信手段から送信させることを特徴とする請求項１３記載のデモ指示装置。
【請求項１５】
前記指示側通信手段は、外部の電子機器に対して有効なデモモード移行信号またはデモモードの継続を要求する継続要求信号を所定の間隔で送信することを特徴とする請求項１３または１４記載のデモ指示装置。
【請求項１６】
請求項１記載の電子機器、及び請求項１３のデモ指示装置からなることを特徴とするデモシステム。
【発明の詳細な説明】
【技術分野】
【０００１】
本発明は、機器の機能等のデモンストレーションを行うデモモードを有する電子機器、その制御方法、及びデモ指示装置に関するものである。
【背景技術】
【０００２】
デジタルカメラやカーナビゲーション装置等の電子機器には、店頭展示された際に、その電子機器の機能を紹介するためのデモンストレーションを行うデモモードを有するものがある。そして、近年の電子機器は、高機能化しており、各種機能を紹介するデモモードの有用性が高まっている。
【０００３】
しかし、電子機器の商品としてのアピールを行うデモモードは、ユーザによる使用時においては無用なものであるため、間違ってデモモードに移行させない工夫、またデモモードに移行してしまった場合の通常モードへ復帰させる工夫等が必要である。また、店頭等では、多数の電子機器が展示されることから、デモモードへの移行が容易な操作で行われることが望まれる他、顧客がデモモードから通常モードに移行させて放置されるような場合も考慮する必要がある。
【０００４】
特許文献１に記載されるナビゲーション装置では、地図データとともにデモンストレーション用データが記録されたディスクをナビゲーション装置に装填しときに、自動的にデモモードに移行し、デモモードが解除されて通常モードに移行させた状態となった場合でも、一定時間操作しないと自動的にデモモードに移行するようにしている。
【０００５】
また、特許文献２に記載された炊飯器では、所定回数の所定キーの操作が所定モードの所定の時間内に行われた場合にだけデモモードに移行するようにし、そしてデモモードへの移行後は、所定の時間の経過でデモモードが解除されるようにしている。特許文献３に記載された空気調和機では、例えば室内機と室外機との電気的な結線の有無を判定する等して、店頭展示か実際の使用目的での設置であるかの設置状態を検知し、その検知結果に基づいてデモモードによるデモ運転か、通常運転かを自動的に切り替えるようにしている。特許文献４に記載された電子機器では、時刻設定済みであるか否かによってデモモードとするか、通常モードとするかを判定している。
【０００６】
特許文献５に記載のデジタルカメラでは、撮影した画像を記録する記録媒体の装着の有無を調べ、この記録媒体が装着されていない場合で所定の操作がされた時にデモモードに移行するようにしてあり、外部から所定の操作が行われるとデモモードが解除されるようにされている。
【特許文献１】特開平１０−１３２５８３号公報
【特許文献２】特開平１０−２９５５４２号公報
【特許文献３】特開２００１−２７２０７８号公報
【特許文献４】特開平１１−３４４９６３号公報
【特許文献５】特開２００２−１１８７８２号公報
【発明の開示】
【発明が解決しようとする課題】
【０００７】
ところで、上記のようなデモモードを有する電子機器では、店頭展示等でデモモードとするために、あるいはデモモードを解除するために、特定のディスクの装填・取り出し、所定のキーの操作、バッテリの取り外し等、種々の操作・手順をデモモードとすべき各電子機器に対して行わなければならない。したがって、多数の電子機器に対しては不便であった。
【０００８】
特許文献１のように特定のディスク等のメディアを用いる場合には、メディアの製造等によるコスト増を招くとともに、予め動作のソフトウエアやデータ等を記憶している電子機器やメディアを用いない電子機器には利用できない。
【０００９】
また、特許文献１のように通常モードからデモモードに自動復帰する機能を電子機器に予め組み込むと、ユーザが誤ってデモモードにしてしまった場合には、自動復帰を完全に解除するための操作をしない限り、ユーザの利用に支障が生じることになる。逆に、特許文献２のように一定の時間の経過によってデモモードが解除される構成は、店頭展示には不向きである。もちろん、特許文献５のように、いったん解除されたデモモードから再びデモモードに移行させる場合に、操作部に対して所定の操作を必要とする場合には、復帰させるべき電子機器ごとにデモモードに復帰させる操作を要する他、デモモードが解除されていることを店員が気づいて再設定しない限りデモモードにならないため、効果的なデモンストレーションを行えなくなってしまうという問題がある。
【００１０】
さらに、特許文献３のように、店頭展示用の設置状態と、実際の使用状態とが異なる機器については、その設置状態に応じてデモモードとするか否かを判定することは有効であるが、通常の使用状態とほぼ変わらない状態で店頭展示される電子カメラのような電子機器では有効ではない。また、特許文献４のように、時刻設定の有無によりデモモードとするか否かを判定する構成は、例えば顧客が店頭展示で時刻を設定してしまうと、デモモードに移行しなくなってしまうという問題があった。
【００１１】
本発明は上記事情を考慮してなされたもので、デモモードへの移行が容易であり、また店頭等での操作でデモモードが解除された場合でも、その操作後にデモモードに容易に復帰させることができ、しかも店頭以外での使用時にデモモードに移行することが防止することができる電子機器、デモ指示装置、及びデモシステムを提供することを目的とする。
【課題を解決するための手段】
【００１２】
上記目的を達成するために、請求項１記載の電子機器では、予め設定された識別情報を記憶した識別情報記憶手段と、外部機器との間で通信を行う機器側通信手段と、前記識別情報記憶手段に予め記憶されている識別情報を前記通信手段から送出させ、前記通信手段が当該機器を送信先として受信するデモンストレーションへの移行を指示するデモモード移行信号を有効なデモモード移行信号とし、この有効なデモモード移行信号を通常モード下で受信することに応答して、通常モードからデモモードに移行させるモード移行制御手段とを備えたものである。
【００１３】
請求項２記載の電子機器では、電源として機器本体に装着されるバッテリの装着の有無を検出するバッテリ検出手段を備え、前記モード移行制御手段は、前記バッテリ検出手段によってバッテリの装着が検出されていない場合にだけ、有効なデモモード移行信号の受信に応答してデモモードに移行させるものである。
【００１４】
請求項３記載の電子機器では、前記機器側通信手段は、機器本体の電源のオフ下でデモモード移行信号を受信するように作動状態とされ、前記モード移行制御手段は、電源のオフ下で前記機器側通信手段が有効なデモモード移行信号を受信したときには、その受信後に機器本体の電源がオンとなったときにデモモードに移行させるものである。
【００１５】
請求項４記載の電子機器では、機器側通信手段が電源のオフ下で有効なデモモード移行信号を受信することに応答して、機器本体の電源をオンとする電源制御手段を備えるものである。
【００１６】
請求項５記載の電子機器では、機器本体の操作でデモモードから通常モードに移行された後、この通常モード下で電源がオフとなった時点から、所定の復帰待機時間の経過後に電源をオンとする電源制御手段を備えるものである。
【００１７】
請求項６記載の電子機器では、前記モード移行制御手段は、前記電源制御手段によって、所定の復帰待機時間の経過後に電源をオンとされたときに、デモモードに移行させるものである。
【００１８】
請求項７記載の電子機器では、前記モード移行制御手段は、有効なデモモード移行信号またはデモモードの継続を要求する継続要求信号を前記機器側通信手段で受信してから所定のタイムアウト時間内に有効なデモモード移行信号または継続要求信号を前記機器側通信手段が受信しないときには、デモモードから通常モードに移行させ、または電源をオフとするものである。
【００１９】
請求項８記載の電子機器では、前記モード移行制御手段は、デモモードに移行する際に、機器設定の初期化を行うものである。
【００２０】
請求項９記載の電子機器では、前記モード移行制御手段は、デモモードに移行する際に、通常モード下で取得される取得データを記憶する記憶手段に記憶されている取得データを消去するものである。
【００２１】
請求項１０記載の電子機器では、前記機器側通信手段は、外部機器からの制御コマンドを受信するようにされ、この受信した制御コマンドに応じた動作を行わせる動作制御手段を備えているものである。
【００２２】
請求項１１記載の電子機器では、前記機器側通信手段は、外部機器からのデモ用データを受信するようにされ、この受信したデモ用データを用いてデモモードでの動作が行われるものである。
【００２３】
請求項１２記載の電子機器では、予め設定された識別情報を記憶した識別情報記憶手段を備え、前記通信手段は、前記識別情報記憶手段に予め記憶されている識別情報を送出するようにしたものである。
【００２４】
請求項１３記載のデモ指示装置では、通常動作を行う通常モードからデモンストレーションに移行させるためのデモモード移行信号を送信すべき電子機器に予め設定された固有の識別情報を保持する識別情報保持手段と、前記電子機器との間で無線による通信を行う指示側通信手段と、前記識別情報保持手段に登録されている電子機器を送信先に指定して、通常モードからデモモードに移行させるためのデモモード移行信号を前記指示側通信手段から送信させる制御手段とを備えたものである。
【００２５】
請求項１４記載のデモ指示装置では、前記制御手段は、前記指示側通信手段を介して通信可能状態にある電子機器から、その電子機器の識別情報を取得し、取得した識別情報が前記識別情報保持手段に保持されている識別情報のうちのいずれかと一致する電子機器に対してデモモード移行信号を前記指示側通信手段から送信させるようにしたものである。
【００２６】
請求項１５記載のデモ指示装置では、前記指示側通信手段は、外部の電子機器に対して有効なデモモード移行信号またはデモモードの継続を要求する継続要求信号を所定の間隔で送信するものである。
【００２７】
請求項１６記載のデモ指示装置では、上記に記載された電子機器、及びデモ指示装置とからデモシステムを構成したものである。
【発明の効果】
【００２８】
本発明によれば、デモモードの移行の対象となっているか否かを判別させるために予め記憶されている識別情報を送出するとともに、当該機器を送信先として受信するデモンストレーションへの移行を指示するデモモード移行信号を有効なデモモード移行信号として、この有効なデモモード移行信号を受信することに応答してデモモードに移行させるようにしたから、デモモードの対象とする電子機器だけをデモモードに移行させることができる。
【発明を実施するための最良の形態】
【００２９】
［第１実施形態］
図１に本発明を実施したデモンストレーションシステム（以下、デモシステムという）を示す。デモシステムは、通常の動作行う通常モードと店頭等でデモンストレーションを行うデモモードを有する電子機器としての１台以上のデジタルカメラ２と、このデジタルカメラ２のデモモードへの移行を無線で指示する外部機器であるデモ指示装置としてのＰＣ（パーソナルコンピュータ）３とからなる。
【００３０】
デジタルカメラ２は、ボディ４の前面に撮影レンズ５やストロボ発光部（図示省略）等を設けてある。また、上面と背面には、操作部６（図２参照）を構成する各種操作部材を設けてあり、上面に電源ボタン７，レリーズボタン８、背面に決定ボタン９，カーソルボタン１０，キャンセルボタン１１，再生ボタン１２をそれぞれ配してある。また、背面には、スルー画像や再生画像が表示されるＬＣＤ１３を設けてある。
【００３１】
電源ボタン７の操作により、デジタルカメラ２の電源のオン・オフを行うことができる。レリーズボタン８を押圧操作することにより、撮影レンズ４のピント合わせが行われた後に撮影が行われる。決定ボタン９やカーソルボタン１０を操作することにより、撮影を行う撮影モード，再生を行う再生モードの選択や、デジタルカメラ２の各種設定等を行うことができる。
【００３２】
操作部６の操作によって、デモモードから通常モードに移行させる通常モード移行指示を与えることができる。通常モードは、デジタルカメラ２の本来の動作を行うモードであり、上記のように撮影モード，再生モードを選択して動作させることができる。
【００３３】
デモモードは、デジタルカメラ２の機能を、それ自体で紹介するためのモードであり、ＰＣ３から無線で送信されるデモモード移行信号のうち有効と判断されるデモモード移行信号を受信することによりデモモードに移行し、例えばＬＣＤ１３に機能説明や操作説明・サンプル画像等を表示し、あるいはデモモード用に予め用意されている撮影設定で撮影のための動作を行うようにされている。有効なデモモード移行信号は、詳細を後述するように受信したデジタルカメラ２を送信先として指定されたデモモード移行信号である。
【００３４】
ボディ４の底部には、撮影した画像を記録するメモリカード１５が挿入されるカードスロットと、電源となるバッテリ１６が挿入されるバッテリスロットとを設けてある。これら各スロットは、底部に設けた蓋１７を解放することにより露呈され、メモリカード１５、バッテリ１６を挿脱することが可能となる。また、ボディ４の側面には、ＡＣアダプタ等の外部電源を接続するための電源端子１８を設けてあり、この電源端子１８に外部電源を接続しているときには、その外部電源でデジタルカメラ２が駆動される。
【００３５】
ＰＣ３は、モニタ３ａや操作部１９としてキーボード１９ａとマウス１９ｂとを有する従来のパーソナルコンピュータに、デジタルカメラ２との間で無線通信を行うＰＣ側通信部２０（図５参照）を内蔵したものであり、所定のプログラムをインストールすることにより、デモ指示装置として機能する。ＰＣ３は、デジタルカメラ２との間で通信を行い、デジタルカメラ２のそれぞれに付与されているシリアル番号を取得するとともに、デジタルカメラ２をデモモードに移行させるためのデモモード移行信号を送信する。
【００３６】
図２において、デジタルカメラ２の各部は、ＣＰＵ２２によって制御される。ＣＰＵ２２には、ＲＯＭ２２ａ，ＲＡＭ２２ｂを接続してあり、ＲＯＭ２２ａには、制御プログラムやデモモードのプログラム等が記憶されている。ＣＰＵ２２は、操作部６から入力される操作信号に基づきＲＯＭ２２ａのプログラムにしたがって各部の制御を行う。ＲＡＭ２２ｂは、ＣＰＵ２２がプログラムを実行する際に必要なデータを一時的に記憶するワークメモリとして使用される。
【００３７】
また、ＣＰＵ２２は、モード移行制御手段として機能する。電源がオンとされているときに、通信部２３が有効なデモモード移行信号を受信することに応答して、ＣＰＵ２２は、デジタルカメラ２をデモモードに移行し各部にデモンストレーション用の動作を行わせる。
【００３８】
撮影レンズ５は、レンズドライバ２４で駆動される絞り機構やピント調節機構等を内蔵している。撮影レンズ５の背後には、ＣＣＤタイプのイメージセンサ２６を配置してある。イメージセンサ２６は、周知のように多数の受光素子がマトリクス状に配列された受光面を備えており、ＣＣＤドライバ２７によって駆動され、撮影レンズ５によって結像された被写体像を光電変換して画像信号として出力する。なお、ＣＣＤタイプに代えて、ＣＭＯＳタイプのイメージセンサを用いてもよい。
【００３９】
ＡＦＥ２８は、ＣＤＳ（相関二重サンプリング）回路２８ａ、ＡＧＣ（自動ゲイン調整アンプ）２８ｂ、Ａ／Ｄ変換器２８ｃからなる。イメージセンサ２６から得られる画像信号は、これらＣＤＳ回路２８ａ、ＡＧＣ２８ｂ、Ａ／Ｄ変換器２８ｃによって、順次リセットノイズの除去、画像信号の増幅、デジタル化処理が行われて、画像データとして画像入力コントローラ３１に送られる。
【００４０】
画像入力コントローラ３１は、バス３２への画像データの入力を制御する。バス３２には、ＣＰＵ２２，通信部２３の他、画像信号処理回路３３，圧縮・伸長処理回路３４，ＶＲＡＭ３５，ＬＣＤドライバ３６，ＡＦ検出回路３７，ＡＥ／ＡＷＢ検出回路３８，顔検出部３９，内部メモリ４０，メディアコントローラ４１，設定メモリ４２が接続されており、これら各部はバス３２を介してＣＰＵ２２に制御されるとともに、相互間でデータの授受を可能にしてある。
【００４１】
画像信号処理回路３３は、入力された画像データに対し、階調変換，ホワイトバランス補正，γ補正処理、ＹＣ変換処理等の画像処理を施す。ＹＣ変換処理では、画像データは、ＲＧＢの三色の画像データから輝度信号Ｙと色差信号Ｃｒ、Ｃｂの画像データに変換される。圧縮・伸長処理回路３４は、ＹＣ変換された画像データを例えばＪＰＥＧ形式で圧縮処理し、また圧縮された画像データの伸長を行う。
【００４２】
ＶＲＡＭ３５には、ＬＣＤ１３に表示すべきデータが書き込まれる。ＬＣＤドライバ３６は、このＶＲＡＭ３５に書き込まれているデータを読み出して、そのデータに基づいてＬＣＤ１３を駆動する。撮影モード下において、画像信号処理回路３３によってＹＣ変換された画像データをＶＲＡＭ３５に順次に更新して書き込むことによりＬＣＤ１３にスルー画像が表示される。また、デモモード時には、デモ用表示データをＶＲＡＭ３５に書き込むことによって、ＬＣＤ１３にデモ表示を行うことができる。
【００４３】
ＡＦ検出回路３７は、画像入力コントローラ３１を介して入力される画像データに基づいて、撮影画像ごとにコントラストを評価したＡＦ評価値を算出する。ＣＰＵ２２は、ＡＦ検出回路３７からのＡＦ評価値が最大、すなわち被写体像のコントラストが最大となるようにレンズドライバ２４を制御して撮影レンズ５のピント調節を行う。
【００４４】
ＡＥ／ＡＷＢ検出回路３８は、画像データに基づいて、被写体輝度の検出と、ホワイトバランス補正を行うためのＷＢ評価値の算出とを行う。ＣＰＵ２２は、ＷＢ評価値に基づき被写体像のホワイトバランスが適正となるように画像信号処理回路３３を制御する。また、ＣＰＵ２２は、ＡＥ／ＡＷＢ検出回路３８で検出した被写体輝度に基づいて適正露出が得られるように絞り機構による絞りや、ＡＧＣ２８ｂのゲイン等を調節する。
【００４５】
顔検出部３９は、顔検出機能がオンとなっているときに、撮影画像中から人物の顔部分を検出し、その検出した顔領域情報を出力する。この顔領域情報は、ＡＦ検出回路３７，ＡＥ／ＡＷＢ検出回路３８に送られ、顔領域情報に示される画像部分に対して撮影レンズ５のピントを合致させ、また適正露出が得られるように制御される。なお、顔検出機能は、操作部６の操作によってオン・オフすることができる。
【００４６】
レリーズボタン８の操作によって撮影指示が行われた場合には、画像信号処理回路３３で各種画像処理を施してから、圧縮・伸長処理回路３４でデータ圧縮をした画像データが、内部メモリ４０、またはメモリカード１５に書き込まれる。メモリカード１５への画像データの読み出し及び書き込みはメディアコントローラ４１によって行われる。
【００４７】
例えば、メモリカード１５が装着されている場合には、操作部６の操作によってメモリカード１５と内部メモリ４０とのいずれか一方を画像データの保存先として選択することができるが、メモリカード１５が装着されていない場合には、内部メモリ４０に自動的に画像データが保存される。
【００４８】
再生モード時では、内部メモリ４０あるいはメモリカード１５から画像データが読み出され、伸長処理が施されてからＶＲＡＭ３５に書き込まれることによって、ＬＣＤ１３に保存されている画像が再生表示される。
【００４９】
内部メモリ４０の一部記憶領域には、デモモード下で使用する画像データやテキストデータ等の各種のデモ用表示データが予め書き込まれている。ＣＰＵ２２の制御下で、これらのデモ用表示データが適宜選択されてＶＲＡＭ３５に書き込まれることにより、ＬＣＤ１３にデモ表示が行われる。なお、デモ用表示データは、消去できないようにしてある。
【００５０】
設定メモリ４２は、例えばストロボの発光モードや、顔検出機能のオン・オフ、撮影感度、画像データの保存先等のデジタルカメラ２の各種設定情報を記憶する。この設定メモリ４２としては、電源をオフしても設定情報が消去されないように、例えば書き換え可能な不揮発性メモリを用いている。また、この設定メモリ４２は、識別情報記憶手段になっており、デジタルカメラ２のシリアル番号が製造時に書き込まれており、これがデモ対象となる機器を識別するための識別情報として用いられる。
【００５１】
識別情報としては、シリアル番号に限られるものではない。例えばユーザが購入したデジタルカメラ２をデモモードにしないという点からは、ユーザが購入したデジタルカメラ２とデモンストレーションに用いられるデジタルカメラ２とを区別できる程度の識別機能を有する識別情報とすればよい。また、デモンストレーションに用いられる複数のデジタルカメラ２を区別して取り扱うという点からは、デモンストレーションに用いられる各デジタルカメラ２の相互を区別する程度の識別情報であればよい。なお、電子機器には、シリアル番号が通常付与されるから、シリアル番号を識別情報とすることは好ましい形態である。
【００５２】
通信部２３は、外部機器（デモ指示装置）との間で通信を行う機器側通信手段となっており、ＰＣ３のＰＣ側通信部２０と間で通信を行う。ＣＰＵ２２は、図３に示すように、ＰＣ３からのシリアル番号を要求するシリアル番号要求信号を通信部２３が受信したときには、設定メモリ４２に記憶されているシリアル番号を読み出して、これを通信部２３を介してＰＣ３に送信する。
【００５３】
また、ＣＰＵ２２は、ＰＣ３からのデモモード移行信号を通信部２３が受信したときには、デモモード移行信号が有効であるか否かを判定する。この判定では、当該機器を送信先、すなわち受信したデジタルカメラ２を送信先として指定されている場合には、その受信したデモモード移行信号を有効なものとする。図４は、その判定処理の一例を示しており、この例ではデモモード移行信号に含まれているシリアル番号が設定メモリ４２のものと一致しているときに有効なデモモード移行信号としている。
【００５４】
なお、デモモード移行信号が当該機器を送信先としているか否かの判定は、通信方式等に応じて種々のものを採用することができ、通信部に付与されているMACアドレス、デジタルカメラ２に割り当てられたＩＰアドレスなどで判定してもよい。
【００５５】
電源部４４は、ＣＰＵ２２の制御下で、バッテリ１６、あるいは電源端子１８に接続された外部電源からデジタルカメラ２の各部に動作に必要な電力の供給を制御する。この電源部４４は、電源端子１８からの外部電源からの電力を優先的に供給する。すなわち、バッテリ１６の装着の有無にかかわらず電源端子１８に外部電源が接続されている場合には、外部電源から電力供給を行い、バッテリ１６が装着されている場合で、電源端子１８に外部電源が接続されていないときには、バッテリ１６から電力供給を行う。電源部４４は、バッテリ１６のバッテリスロットへの装着の有無を検出するセンサ４４ａを備えている。
【００５６】
デジタルカメラ２は、通常モード下で一定の時間、例えば３分間、操作部６の操作がない状態が継続した場合に、電源が自動的にオフとされるオートオフ機能を有している。ＣＰＵ２２は、通常モード下で一定の時間、操作部６の操作が行われなかったときには、デジタルカメラ２の電源をオフとし、電源部４４から各部への給電を停止して無駄な電力消費をなくすようにしている。なお、電源をオフのときにも、ＣＰＵ２２は、微小な電力供給を受けており、電源ボタン７の操作によって電源部４４で給電を開始させるなどの制御を行うことができるようにしてある。
【００５７】
図５において、ＰＣ３は、そのＣＰＵ等で構成される制御部４５が所定のプログラムを実行することにより、指示側通信手段としてのＰＣ側通信部２０を制御する。メモリ部４６は、識別情報保持手段となっており、デモモードの対象となる各デジタルカメラ２の識別情報、この例ではシリアル番号が予め登録されている。
【００５８】
デモモード対象となるシリアル番号は、それぞれ操作部１９の操作でＰＣ３に入力されてメモリ部４６に登録されるが、登録の手法はこれに限られるものではない。例えばＰＣ側通信部２０を通じて取得したシリアル番号を操作部１９の操作で選択して登録してもよい。
【００５９】
制御部４５は、例えば所定の間隔で、図６に一例を示すデモモード移行信号の送信処理を行い、ＰＣ側通信部２０を介して無線接続のデジタルカメラ２が新たに追加されているか否かを調べる。なお、操作部１９から指示が与えられるごとに行うようにしてもよい。
【００６０】
新規デジタルカメラ２が追加されているときには、制御部４５は、そのシリアル番号を取得し、取得したシリアル番号がメモリ部４６に登録されているシリアル番号のうちのいずれかと一致しているか否かを調べ、一致している場合には、そのシリアル番号のデジタルカメラ２がデモモードの対象となっていると判断する。
【００６１】
新規デジタルカメラ２がデモモードの対象となっている場合には、そのシリアル番号のデジタルカメラ２を送信先としてデモモード移行信号を送信する。この例では、デモモード移行信号にシリアル番号を含めることによって、送信先を指定しているが、送信先の指定は、前述のように通信方式等に応じて種々のものを採用することができる。
【００６２】
無線接続のデジタルカメラ２が新たに追加されているか否かは、例えばシリアル番号送信要求信号をＰＣ３からブロードキャストし、これに応答してデジタルカメラ２から送信されてくるシリアル番号を接続済みリストのシリアル番号と比較することにより判断できる。すなわち、接続済みリストにないシリアル番号のデジタルカメラ２が新たに追加されたものと判断すればよく、接続済みリストは、新たに追加されたデジタルカメラ２のシリアル番号を加えて更新すればよい。接続済みリストから接続が確認できなかったものを削除してもよい。
【００６３】
なお、無線接続のデジタルカメラ２が新たに追加されているか否かの判断に、ＭＡＣアドレス等の他の情報を用いてもよいが、無線接続のデジタルカメラ２が新たに追加されているか否かの判断する情報と、識別情報すなわちデモモードの対象となるか否かを判断する情報とを一致させておけば処理が簡単になる。
【００６４】
また、この例では、無線接続のデジタルカメラ２が新たに追加されているときに、当該デジタルカメラ２にデモモード移行信号を送信するが、一定の時間ごとにデモモードの対象となる各シリアル番号のデジタルカメラ２を送信先に指定して、それらにデモモード移行信号を送信してもよい。もちろん、デモモードの対象となる各シリアル番号のデジタルカメラ２のうち、接続されているデジタルカメラ２を送信先に指定して、それらにデモモード移行信号を送信してもよい。
【００６５】
ＰＣ３とデジタルカメラ２との通信方式、接続形態等は、どのようなものであってもよい。例えば相手先の状態確認や送達確認などを行って通信を行うことが好ましいが、無手順方式であってもかまわない。また、通信の設定が容易ないし無設定で行えるようにしておくことが好ましい。
【００６６】
接続形態では、例えば無線ＬＡＮにおけるアクセスポイントを介してＰＣ３からのデモモード移行信号をデジタルカメラ２に送信し、あるいはアクセスポイントのようにＰＣ側通信部２０を機能させ、同時に複数台のデジタルカメラ２が１台のＰＣ３に接続してもよい。また、アドホックモードのように、１台のＰＣ３と１台のデジタルカメラ２が接続されようにして、順次にＰＣ３と接続されるデジタルカメラ２が切り替わるようにしてもよい。
【００６７】
次に上記構成の作用について図７を参照しながら説明する。電源ボタン７を操作して電源オンとすると、ＣＰＵ２２の制御によって電源部４４から各部に電力供給が開始されて各部が動作可能状態となって、デジタルカメラ２の電源がオンとなる。
【００６８】
電源がオンとなっている間では、シリアル番号要求信号を通信部２３が受信したか否かを調べ、また有効なデモモード移行信号を通信部２３が受信したか否かを調べる処理を割り込み処理等で繰り返し行っている。
【００６９】
例えば通信部２３が有効なデモモード移行信号を受信していない場合には、デジタルカメラ２が通常モードとされる。通常モードでは、これまでのデジタルカメラと同様に、操作部６の操作により撮影モード、再生モードの選択を行うことができる。そして、撮影モード下では、操作部６の操作により撮影に関する設定を行い、またレリーズボタン８の押圧操作によって撮影を行うことができる。そして、撮影で得られる画像データがメモリカード１５あるいは内部メモリ４０に記録される。
【００７０】
また、再生モード下では、操作部６の操作によって、メモリカード１５や内部メモリ４０に記録されている画像データが読み出されてＶＲＡＭ３５に送られることにより、撮影済みの画像をＬＣＤ１３に再生表示され、あるいはメモリカード１５や内部メモリ４０から特定の画像データを消去したりすることができる。
【００７１】
上記のように通常モードとなっている間では、有効なデモモード移行信号の受信の有無、電源ボタン７の操作による電源のオフの指示の有無、オートオフ機能によるオートオフをするか否かの判断がＣＰＵ２２によって行われる。例えば、電源ボタン７の操作による電源オフの指示がある場合、あるいはオートオフ機能によるオートオフをする場合には、各部が電源オフに対応したオフ状態に移行された後に電源部４４による給電が停止されることにより、デジタルカメラ２の電源がオフとなる。
【００７２】
一方、ＰＣ３では、制御部４５の制御の下でＰＣ側通信部２０からシリアル番号送信要求信号が所定間隔でブロードキャストされる。このシリアル番号送信要求信号を通信部２３が受信すると、そのデジタルカメラ２の設定メモリ４２に記憶されているシリアル番号が通信部２３から送信される。そして、このシリアル番号の送信は、シリアル番号送信要求信号を受信した各デジタルカメラ２で行われ、これがＰＣ側通信部２０で受信される。
【００７３】
上記のようにしてシリアル番号がＰＣ３で受信されると、制御部４５は受信したシリアル番号を接続済みリストのものと比較する。この比較で、接続済みリストに登録されているシリアル番号であると判定されると、そのシリアル番号を情報として含むデモモード移行信号がＰＣ側通信部２０から送信される。また、そのシリアル番号が接続済みリストに加えられる。
【００７４】
上記のようにデモモード移行信号が送信されると、このデモモード移行信号は、受信可能な各デジタルカメラ２の通信部２３で受信される。しかし、デモモード移行信号に含められるシリアル番号以外のデジタルカメラ２では、送信先として当該機器が指定されていないと判定されるため、有効ではないデモモード移行信号として破棄される。
【００７５】
他方、シリアル番号がデモモード移行信号に含むものと一致するデジタルカメラ２では有効なデモモード移行信号と判定されるから、そのデジタルカメラ２は、ＣＰＵ２２によって通常モードからデモモードに移行する。
【００７６】
上記のようにしてデモモードに移行すると、例えば内部メモリ４０から読み出されたデモ用表示データがＶＲＡＭ３５に書き込まれることにより、ＬＣＤ１３にデモ表示が行われ、あるいはデモ用のプログラムにしたがってＣＰＵ２２が各部を制御することにより、デジタルカメラ２の各種機能設定を変えながらデモンストレーション用の撮影動作が行われる。
【００７７】
デモモードとなっている間では、電源ボタン７の操作によって電源のオフの指示があるか、操作部６の操作によって通常モードへの移行の指示があるかの確認が行われる。電源オフの指示があったときには、上述同様にしてデジタルカメラ２の電源がオフとされるが、通常モードの移行の指示があれば、通常モードに移行し、上述のように撮影モードや再生モードで撮影や画像の再生等を行うことができる。
【００７８】
また、新たに無線接続可能なデジタルカメラが追加されて、そのデジタルカメラ２のシリアル番号がデモモードの対象として登録されていれば、上記と同様な手順でそのデジタルカメラ２がデモモードとなるが、シリアル番号がデモモードの対象となっていないデジタルカメラ２はデモモードに移行することはない。
【００７９】
以上のように、無線による指示であるのでデジタルカメラ２を簡単にデモモードに移行させることができる他、デモモードの対象としてシリアル番号が登録されているデジタルカメラ２についてのみデモモードとすることができるため、例えばユーザが購入したデジタルカメラ２を店舗内に持ち込んだとしてもデモモードに移行してしまうことを防止できる。
【００８０】
なお、適当なタイミング、間隔、あるいはＰＣ３に対する指示ごとにデモモードの対象となるデジタルカメラ２を送信先に指定してデモモード移行信号を送信するようにしておけば、そのデジタルカメラ２が通常モードに移行しても、簡単にデモモードに復帰させることができる。この場合には、試し撮り等で一時的に通常モードで使用されているデジタルカメラ２がデモモード移行信号を受信してデモモードに移行しないようにするために、例えば通常モードとなってから一定時間期間、あるいは通常モードで最後に操作が行われてから一定時間が経過するまではデモモード移行信号を受信しても、デモモードに移行しないようにデジタルカメラ２を制御するのがよい。また、ＰＣ３からの無線信号による指示で、通常モードあるいはデモモードとなっているデジタルカメラ２の電源をオフとできるようにするのも好ましい。
【００８１】
［第２実施形態］
第２実施形態は、電源としてデジタルカメラに装着されるバッテリの装着の有無を検出し、バッテリが装着されていない場合にだけ、有効なデモモード移行信号を受信したときにデモモードに移行するようにしたものである。なお、以下に説明する他は、第１実施形態と同様であり、実質的に同じ構成部材には同一の符号を付して、その詳細な説明を省略する。
【００８２】
この例は、電源部４４は、バッテリ検出手段としてのセンサ４４ａでバッテリ１５がバッテリスロットに装着されているか否かを検出し、その検出結果をＣＰＵ２２に送る。ＣＰＵ２２は、センサ４４ａの検出結果に基づいてバッテリが装着されていないと判断される場合にだけ、有効なデモモード移行信号を受信するとデジタルカメラ２をデモモードに移行させる。
【００８３】
バッテリ１５を装着した状態、あるいは外部電源を電源端子１８に接続した状態で、電源ボタン７を操作してデジタルカメラ２の電源がオンとすると、図８に示すように、センサ４４ａによって検出されたバッテリ１５の装着の有無が電源部４４からＣＰＵ２２に送られ、ＣＰＵ２２によってバッテリ１５の装着の有無が確認される。
【００８４】
例えば、バッテリ１５が装着されている場合には、続いて通常モードに移行するための処理が行われて、デジタルカメラ２は通常モードとなる。この場合には、電源のオフの指示の有無、オートオフをするか否かの判断処理とともに、バッテリ１５の装着の確認処理が行われる。そして、バッテリ１５が装着されている間では、デモモードに移行するための処理を行わない。したがって、有効なデモモード移行信号を受信したとしてもデモモードに移行することはなく、通常モードが維持される。
【００８５】
一方、バッテリ１５が装着されておらず、外部電源から電力供給を受けて電源がオンとなっている場合には、有効なデモモード移行信号を受信したか否かの確認が行われる。そして、有効なデモモード移行信号を受信するとデモモードに移行する。デモモードに移行後には、通常モードへの移行の指示の有無、電源のオフの指示の有無の判断処理が行われ、通常モードへの移行の指示があれば、通常モードに移行する。通常モードへの移行後、バッテリ１５が装着されていない状態が継続していれば、再度有効なデモモード移行信号を受信させればデモモードに復帰させることができる。
【００８６】
通常の店頭展示では、盗難防止のためバッテリ１５を外しているが、ユーザによって使用されているデジタルカメラ２ではバッテリ１５が装着されている。そこで、上記のようなバッテリ１５の装着の有無による制御を行えば、ユーザが購入したデジタルカメラ２が店頭に持ち込まれて、そのデジタルカメラ２のシリアル番号がデモモードの対象として登録されていたとしてもデモモードに移行することがなく、店頭展示用のデジタルカメラ２だけをデモモードとすることができる。
【００８７】
なお、この例では、デモモード下では、バッテリの装着の有無を検出していないので、バッテリを装着しても通常モードに移行することはないが、デモモード下でバッテリの装着の有無を検出してバッテリを装着した場合には、通常モードに移行するようにしてもよい。また、バッテリを装着し、かつ外部電源を接続している場合に、デモモードに移行するように制御してもよい。
【００８８】
［第３実施形態］
第３実施形態は、デジタルカメラの電源がオフの状態でも、デジタルカメラの通信部によるデモモード移行信号を受信可能な状態とし、有効なデモモード移行信号を受信したときには電源をオンとしてデモモードとするようにしたものである。なお、以下に説明する他は、第１実施形態と同様であり、実質的に同じ構成部材には同一の符号を付して、その詳細な説明を省略する。
【００８９】
この例では、電源ボタン７の操作やオートオフによって電源がオフとなった場合に、通信部２３に対しては電源部４４から微小な電力供給を継続し、デモモード移行信号の受信が可能な状態にする。さらに、ＣＰＵ２２は、電源制御手段として機能し、通信部２３の有効なデモモード移行信号の受信に応答して、各部へ給電するように電源部４４を作動させ、デジタルカメラ２を電源オンとする。
【００９０】
図９に示すように、電源ボタン７の操作によって電源オンの指示がされた場合の他、電源オフ中に通信部２３が有効なデモモード移行信号を受信した場合にも、ＣＰＵ２２の制御でデジタルカメラ２の電源がオンとなる。そして、有効なデモモード移行信号の受信に応答して電源オンとしてときにはデモモードとなる。
【００９１】
以降、第１実施形態と同様に動作し、電源のオフの指示がされたとき、あるいはオートオフとなると、通信部２３に微小な電力供給を維持して、デモモード移行信号を受信可能な状態にしながらデジタルカメラ２の電源をオフする。したがって、この電源のオフの後、ＰＣ３からそのデジタルカメラ２に対して有効なデモモード移行信号を送信し、それを通信部２３に受信させれば、上記のように電源オンとなり、デモモードとなる。
【００９２】
以上のように有効なデモモード移行信号の受信に応答して電源オンとしてデモモードとするから、例えば顧客がデジタルカメラ２をデモモードから通常モードに移行させて電源をオフとした場合や、通常モードのまま放置してオートオフされた場合であっても、ＰＣ３からの有効なデモモード移行信号でデジタルカメラ２をデモモードとして動作させることができる。
【００９３】
なお、第３実施形態では、有効なデモモード移行信号の受信に応答して電源オンとなった場合には、自動的にデモモードとなるが、電源オンの後に、再度有効なデモモード移行信号を受信したときに、デモモードに移行するようにしてもよい。また、電源オフのときに有効なデモモード移行信号を受信したことを記憶しおき、次回電源ボタンの操作で電源がオンとなったときに、その記憶に応じてデモモードとするようにしてもよい。
【００９４】
［第４実施形態］
第４実施形態は、デモモードに移行した後に通常モードとされて、その通常モードで電源がオフとなった場合には、所定の復帰待機時間の経過によって自動的に電源をオンとするものである。なお、以下に説明する他は、第１実施形態と同様であり、実質的に同じ構成部材には同一の符号を付して、その詳細な説明を省略する。
【００９５】
この例では、図１０に示すように、電源ボタン７の操作で電源がオンとされると、電源オンしている期間中のデモモードへの移行の有無を示すＤＥＭＯ＿ＦｌａｇがＣＰＵ２２によって「０」とされる。ＤＥＭＯ＿Ｆｌａｇの「０」は、電源オンの後にデモモードに移行していないことを示している。この後には、第１実施形態と同様に通常モードまたは有効なデモモード移行信号の受信によりデモモードで動作する。
【００９６】
そして、有効なデモモード移行信号を受信してデモモードに移行したときには、ＣＰＵ２２がＤＥＭＯ＿Ｆｌａｇを「１」にする。このＤＥＭＯ＿Ｆｌａｇの「１」は、電源オンの後にデモモードに移行したことがあることを示している。この後は、デモモードから通常モードに移行しても、ＤＥＭＯ＿Ｆｌａｇは変化することなく、「１」を維持する。
【００９７】
通常モードから電源がオフとなると、電源制御手段として機能するＣＰＵ２２は、ＤＥＭＯ＿Ｆｌａｇの値を調べる。そして、ＤＥＭＯ＿Ｆｌａｇが「１」である場合には、ＣＰＵ２２は、それに内蔵したタイマを作動させ、そのタイマの内容が予め決められた復帰待機時間に達すると、デジタルカメラ２の電源をオンとし、ＤＥＭＯ＿Ｆｌａｇを「０」としてから通常モードとする。
【００９８】
これにより、例えばデジタルカメラ２をデモモードに移行させて展示している間に、顧客が通常モードとして、電源ボタン７の操作で電源をオフとし、あるいはオートオフとなっても、復帰待機時間の経過後には、デジタルカメラ２の電源がオンとなる。このため、ＰＣ３からのデモモード移行信号の受信が可能になり、有効なデモモード移行信号を受信させることでデジタルカメラ２をデモモードとして動作させることができる。そして、上記第３実施形態と比べて、電源オフ時における電力消費を低減する効果もある。なお、デモモードに移行することなく通常モードだけで使用している限り、自動的に電源がオンとなることはない。
【００９９】
デモモードにおいては、顧客が操作部６の操作で電源をオフにできないようにしておくことが好ましく、例えばＰＣ３から電源をオフするための電源オフ信号を送信し、これの受信に応答して電源がオフとなるようにすることが好ましい。また、デモモードにおいて、操作部６の操作で電源をオフとされたときには、復帰待機時間の経過後に自動的に電源をオンとし、電源オフ信号に応答して電源をオフとしたときには、自動的な電源のオンを行わないようにしてもよい。さらに、復帰待機時間が経過して電源がオンとなったときに、有効なデモモード移行信号の受信の有無にかかわらずデモモードとするようにしてもよい。
【０１００】
［第５実施形態］
第５実施形態は、有効なデモモード移行信号を受信手段で受信してから、所定のタイムアウト時間内に有効なデモモード移行信号を再受信しないときに、デモモードから通常モードに自動的に移行するようにした例である。なお、以下に説明する他は、第１実施形態と同様であり、実質的に同じ構成部材には同一の符号を付して、その詳細な説明を省略する。
【０１０１】
モード移行制御手段としてのＣＰＵ２２は、デモモードに移行すると、それに内蔵しているタイマによってデモモードに移行時点からの経過時間を計時する。ＣＰＵ２２は、通信部２３が有効なデモモード移行信号を受信するごとにタイマをリセットして経過時間を「０」としてから計時を再スタートする。したがって、ＣＰＵ２２のタイマによって、有効なデモモード移行信号を受信してからの経過時間が計時される。
【０１０２】
ＣＰＵ２２は、上記のようにして計時される経過時間を予め設定されているタイムアウト時間と比較して、経過時間がタイムアウト時間に達しているときには、デモモードから通常モードに移行し、達していないときにはデモモードを維持する。
【０１０３】
一方、ＰＣ３は、所定の発信間隔で有効なデモモード移行信号、すなわちデモモードの対象となるデジタルカメラ２に対してそれらを送信先として指定したデモモード移行信号を発信するように、制御部４５がＰＣ側通信部２０を制御する。この有効なデモモード移行信号の発信間隔は、上記のタイムアウト時間より短い間隔に設定してあり、デジタルカメラ２がデモモード移行信号の受信圏内にあるときには、デモモードから通常モードに移行しないようになっている。
【０１０４】
図１１に示すように、電源オンの後、デジタルカメラ２がＰＣ３から発信される有効なデモモード移行信号を受信してデモモードに移行する際に、ＣＰＵ２２のタイマがリセットされてからスタートすることにより、経過時間の計時が開始される。
【０１０５】
デモモードへの移行後では、有効なデモモード移行信号が通信部２３によって受信されるごとに、ＣＰＵ２２のタイマがリセットされて再スタートされることにより、有効なデモモード移行信号を受信してからの経過時間が計時される。また、ＣＰＵ２２によって、タイマで計時している経過時間とタイムアウト時間とが比較される。
【０１０６】
このため、例えばＰＣ３が所定の発信間隔で有効なデモモード移行信号を発信し、そのデモモード移行信号の受信圏内にデジタルカメラ２が置かれている場合には、計時されている経過時間がタイムアウト時間に達する前に、次の有効なデモモード移行信号が受信されるので、計時されている経過時間がタイムアウト時間に達することはなく、デモモードが維持される。
【０１０７】
また、ＰＣ３の有効なデモモード移行信号の送信を停止したり、デモモード移行信号の受信圏外にデジタルカメラ２が持ち出されたりした場合には、有効なデモモード移行信号が受信されないので経過時間はリセットされることなく、その計時が継続される。そして、このような有効なデモモード移行信号を受信できない状態が継続して、経過時間がタイムアウト時間に達すると、ＣＰＵ２２の制御によってデジタルカメラ２がデモモードから通常モードに移行する。なお、通常モードに移行した後、再度有効なデモモード移行信号を受信すればデモモードに移行する。
【０１０８】
上記のように、有効なデモモード移行信号を受信できない時間がタイムアウト時間に達する場合には、デジタルカメラ２がデモモードから通常モードに移行するようにしているため、例えばユーザが所有するデジタルカメラ２が店頭に持ち込まれて、有効となるデモモード移行信号を受信してデモモードに移行してしまったとしても、デモモード移行信号の受信圏外の店外にデジタルカメラ２を持ち出してからタイムアウト時間が経過すれば、通常モードに自動的に復帰するから、ユーザが特別な操作でデモモードを解除したりする必要がない。
【０１０９】
なお、この例ではデモモード下で受信する有効なデモモード移行信号を、デモモードの継続させる信号としているが、デモモード移行信号とは別にデモモードの継続を要求する継続要求信号を用い、この継続要求信号でデモモードが継続されるようにしてもよい。このような継続要求信号についても、送信先のデジタルカメラ２を指定することが好ましく、有効な継続要求信号であるかどうかの判断をデジタルカメラ２で行うのがよい。
【０１１０】
上記第５実施形態では、有効なデモモード移行信号あるいは継続要求信号が受信されない時間がタイムアウト時間に達した場合には、自動的に通常モードに移行するようにしているが、通常モードに移行する代わりに、電源がオフとなるようにしてもよい。なお、この場合、次に電源をオンとするときには、通常モードとなるようにしておくことが好ましい。
【０１１１】
［第６実施形態］
第６実施形態は、外部機器からの制御コマンドを受信して、それに応じた動作を行わせるものである。なお、以下に説明する他は、第１実施形態と同様であり、実質的に同じ構成部材には同一の符号を付して、その詳細な説明を省略する。
【０１１２】
この例では、ＰＣ３は、制御部４５の制御下で、ＰＣ側通信部２０からデジタルカメラ２に対する制御コマンドとして、全設定初期化コマンド、画像消去コマンド、顔検出オンコマンド、顔検出オフコマンドを発信する。これら制御コマンドは、例えば操作部１９の操作によって指定されたものが発信されるが、制御部４５によって適当なタイミング、間隔で自動的に発信するようにしてもよい。これら制御コマンドについても、デモモード移行信号と同様に送信先を指定することが好ましい。
【０１１３】
デジタルカメラ２では、上記制御コマンドを通信部２３が受信し、動作制御手段としてのＣＰＵ２２が受信した制御コマンドに応じた動作が行われるように各部を制御する。全設定初期化コマンドを受信した場合には、設定メモリ４２に記憶されている全ての設定情報を製造時に設定されている初期値に戻す。
【０１１４】
画像消去コマンド、顔検出オンコマンド、顔検出オフコマンドは、特定機能の設定変更や動作を指示するための制御コマンドであり、また顔検出オンコマンド、特定機能の設定を初期化するコマンドにもなっている。画像消去コマンドを受信した場合、ＣＰＵ２２は、内蔵メモリ４０を制御して画像データを消去する。また、顔検出オンコマンドを受信した場合には、顔検出機能を初期値であるオンとし、顔検出オフコマンドを受信した場合には、顔検出機能をオフとする。なお、上記の特定機能の設定変更や動作を指示するための制御コマンドは、一例であり、他の機能、動作等に関するものでもよい。また、通常モード下で画像データの他、音声データ等の各種データが取得され場合には、それらデータを消去するようにしてもよい。
【０１１５】
図１２に示すように、デモモード下では、ＣＰＵ２２は、全設定初期化コマンド、画像消去コマンド、顔検出オンコマンド、顔検出オフコマンドを通信部４３が受信したか否かを監視している。そして、例えば画像消去コマンドが受信されたときには、内蔵メモリ４０から画像データを消去する。これにより、デモモードから通常モードに移行されて、試し撮りによって内蔵メモリ４０に記憶されている画像データが消去される。
【０１１６】
店頭展示されているデジタルカメラでは、メモリカードを防犯上装着していない場合が通常である。そこで、顧客が通常モードにして試し撮りをした画像データが内蔵メモリ４０に順次蓄積されていくが、内蔵メモリ４０が一杯になった場合には、それ以上の試し撮りをすることができなくなってしまう。しかし、上記のように画像消去コマンドによって内蔵メモリ４０に記録された画像データを消去できるので、そのような不都合を簡単に解消できる。
【０１１７】
また、デモモード下で全設定初期化コマンドが受信されると、ＣＰＵ２２によって、デジタルカメラ２の全ての設定情報が初期化される。これにより、前回の通常モードで顧客によって設定情報が変更されていても、次回の通常モードでは初期値の設定情報での動作をさせることができるので、試し撮り等に適した設定を簡単にすることができる。
【０１１８】
顔検出オンコマンドを受信したときには、ＣＰＵ２２によって設定メモリ４２上の顔検出機能の設定情報が初期化されてオンに変更され、デモモードあるいは通常モードで顔検出部３９による顔検出機能が動作するようにされる。これにより、例えば顧客が通常モードとして試し撮りを行おうとしたときに、顔検出機能が動作させて顔検出機能をアピールすることができる。なお、顔検出オフコマンドを受信したときには、顔検出機能の設定情報がオフに変更され顔検出機能が動作しないようにされる。
【０１１９】
制御コマンドとしては、特に限定されるものではないが、例えば前述したようなデジタルカメラ２の電源をオフとするための電源オフ信号や、通常モードに移行させるための通常モード移行コマンドなどを設定してもよい。
【０１２０】
［第７実施形態］
第７実施形態は、デモモードに移行する際に、機器設定の初期化を行い、また通常モード下で取得されたデータを内蔵メモリ等の記憶手段から消去するようにしたものである。この例では、図１３に示すように、有効なデモモード移行信号を受けてデモモードに移行する際に、ＣＰＵ２２によって、通常モードで内蔵メモリ４０に記録された画像データが消去される。また、顔検出部３９による顔検出機能、画像信号処理回路３３にホワイトバランス補正がそれぞれ初期化されて、顔検出機能がオン、自動ホワイトバランス補正に設定される。
【０１２１】
なお、上記のように一部の機器設定のみを初期化するのではなく、図１４に示すように、全設定を初期化してもよい。また、デモモードに移行した際に、第６実施形態のようにＰＣ３から制御コマンドを送信することで、初期化や画像データ等の消去が実施されるようにしてもよい。
【０１２２】
［第８実施形態］
第８実施形態は、外部機器からデモ用表示データを受信し、それを用いてデモ用表示を行うようにしたものである。例えばＰＣ３のメモリ部４６には、デモ用表示データが記憶されている。制御部４５は、図１５に示すように、デモモードに移行させるときには、デモモードに移行させるべきデジタルカメラ２にデモモード移行信号を送信したのち、そのデジタルカメラ２に対して、メモリ部４６から読み出したデモ用表示データを送信する。
【０１２３】
一方、デジタルカメラ２では、図１６に示すように、有効なデモモード移行信号に応答してデモモードに移行する際には、ＰＣ３からのデモ用表示データを通信部２３で受信し、これを内蔵メモリ４０に記憶する。そして、このデモ用表示データを用いてＬＣＤ１３にデモ用表示を行う。
【０１２４】
なお、デモ用表示データに限らず、デモモードに関連するデータ、例えばデモ動作を行うための動作プログラム等であってもよい。なお、デモモードに関連するデータを記憶する手段としては、内蔵メモリに限られるものではなく、他の記憶手段であってもよい。
【０１２５】
上記に各実施形態を示して説明したが、各実施形態に記載される各内容については、それぞれ矛盾しない範囲で組み合わせて利用することができる。また、複数台のデジタルカメラ２のうちの１台からデモモード移行信号や制御コマンド等を発信するようにしてもよい。さらに、上記各実施形態では、ＰＣ３からの信号に応答して、識別情報としてのシリアル番号を取得しているが、デジタルカメラ２が例えば適当なタイミング、あるいは間隔でシリアル番号を送出し、これをＰＣ３が受信するようにしてもよい。
【０１２６】
上記では、デモンストレーションを行う電子機器の例としてデジタルカメラを挙げたが、電子機器としてはデモンストレーションを行うものであればどのようなものでも利用できる。また、デモモードとする電子機器は異なる種類が混在してもよい。
【図面の簡単な説明】
【０１２７】
【図１】本発明を実施したデモシステム概略を示す説明図である。
【図２】デジタルカメラの構成を示すブロック図である。
【図３】シリアル番号を送信する手順を示すフローチャートである。
【図４】デモモード移行信号の有効か否かを判定する手順を示すフローチャートである。
【図５】ＰＣの構成を示すブロック図である。
【図６】デモモード移行信号を送信する際の手順を示すフローチャートである。
【図７】デモモード移行信号を受信に応答してデモモードに移行するようにした第１実施形態の動作の概略を示すフローチャートである。
【図８】バッテリの装着時にのみデモモード移行信号に応答してデモモードに移行するようにした第２実施形態の動作の概略を示すフローチャートである。
【図９】電源のオフ時にもデモモード移行信号を受信可能にした第３実施形態の動作の概略を示すフローチャートである。
【図１０】デモモードに移行後通常モードから電源のオフとされた時に自動的に電源をオンとする第４実施形態の動作の概略を示すフローチャートである。
【図１１】デモモード下でデモモード移行信号を一定時間以上受信しないときに通常モードに移行する第５実施形態の動作の概略を示すフローチャートである。
【図１２】ＰＣからの各種制御コマンドをデジタルカメラに送信してデモモード下で動作させる第６実施形態の動作の概略を示すフローチャートである。
【図１３】デモモードの移行の際に内蔵メモリのデータの消去と設定の初期化を行う第７実施形態の動作の概略を示すフローチャートである。
【図１４】デモモードの移行の際に内蔵メモリのデータの消去と全設定の初期化を行う例の動作の概略を示すフローチャートである。
【図１５】ＰＣからデモ用表示データをデジタルカメラに送信する第８実施形態のＰＣの動作の概略を示すフローチャートである。
【図１６】ＰＣからデモ用表示データをデジタルカメラに送信する第８実施形態のデジタルカメラの動作の概略を示すフローチャートである。
【符号の説明】
【０１２８】
２  デジタルカメラ
３  ＰＣ
６  操作部
２０  ＰＣ側通信部
２２  ＣＰＵ
２３  通信部
４５  制御部
【図１】
2009216895.tif 000003
【図２】
2009216895.tif 000004
【図３】
2009216895.tif 000005
【図４】
2009216895.tif 000006
【図５】
2009216895.tif 000007
【図６】
2009216895.tif 000008
【図７】
2009216895.tif 000009
【図８】
2009216895.tif 000010
【図９】
2009216895.tif 000011
【図１０】
2009216895.tif 000012
【図１１】
2009216895.tif 000013
【図１２】
2009216895.tif 000014
【図１３】
2009216895.tif 000015
【図１４】
2009216895.tif 000016
【図１５】
2009216895.tif 000017
【図１６】
2009216895.tif 000018